(57)【要約】【課題】停電が発生したときに、携帯端末によりその使用者に停電の発生と携帯端末の位置とを認識させることである。【解決手段】本発明の携帯端末の一実施形態である携帯電話機１は、充電池１５を具え、該充電池１５を充電する充電装置２に装着することにより充電池１５が充電される携帯電話機であって、更に、充電装置２への装着状態を検出する検出部と、該検出部により前記装着状態が検出されているときに充電装置２からの電力供給が停止したか否かを判断する停電検出回路部１４と、該停電検出回路部１４によって充電装置２からの電力供給が停止したものと判断されたときに該電力供給の停止を報知する報知部とを具えている。【選択図】図１
2010252300.tif 000002
【特許請求の範囲】
【請求項１】
充電池を具え、該充電池を充電する充電装置に装着することにより前記充電池が充電される携帯端末において、
更に、前記充電装置への装着状態を検出する検出部と、該検出部により前記装着状態が検出されているときに前記充電装置からの電力供給が停止したか否かを判断する判断部と、該判断部によって前記充電装置からの電力供給が停止したものと判断されたときに該電力供給の停止を報知する報知部とを具えていることを特徴とする携帯端末。
【請求項２】
前記検出部は、前記充電装置に配備されている被検知部を検知する検知部を具え、該検知部により前記被検知部が検知されたとき、この状態を前記装着状態として検出する請求項１に記載の携帯端末。
【請求項３】
前記被検知部は磁石から構成され、前記検知部は、前記装着状態にて前記磁石を検知する磁気センサから構成されている請求項２に記載の携帯端末。
【請求項４】
前記報知部は、発光、鳴動、若しくは画像の表示、又はこれらの任意の組合せによって前記電力供給の停止を報知する請求項１乃至請求項３の何れかに記載の携帯端末。
【請求項５】
送信先のアドレスを記憶する記憶部と、
前記判断部によって前記充電装置からの電力供給が停止したものと判断された場合に、前記記憶部に記憶された送信先に情報を送信する送信部と、を備える請求項１から４のいずれか１項に記載の携帯端末。
【請求項６】
前記送信部は、前記判断部によって前記充電装置からの電力供給が停止したものと判断されたてから、あらかじめ設定された所定時間が経過した後、前記情報を送信する、請求項５記載の携帯端末。
【請求項７】
前記送信部は、前記情報を、所定の時間間隔で所定回数送信する請求項５又は６に記載の携帯端末。
【請求項８】
自端末の位置を測定する位置測定部を備え、
前記送信部は、前記情報に、前記位置測定部により測定された位置を含めて送信する請求項５から７のいずれか１項に記載の携帯端末。
【請求項９】
前記送信部は、前記情報を電子メールにて送信する請求項５から８のいずれか１項に記載の携帯端末。
【発明の詳細な説明】
【技術分野】
【０００１】
本発明は、充電装置に装着されることにより充電される携帯端末に関する。
【背景技術】
【０００２】
従来の携帯端末は充電池を具え、該携帯端末を充電装置（例えば充電器）に装着することにより、商用電源を用いて携帯端末の充電池を充電することが行われている。
【０００３】
他の例として、停電時でも充電池の充電を可能にすべく、ソーラーパネルを配備した充電装置を具えた携帯端末が提案されている（例えば、特許文献１参照）。
【先行技術文献】
【特許文献】
【０００４】
【特許文献１】特開２００４−３２８８７６号公報
【発明の概要】
【発明が解決しようとする課題】
【０００５】
しかしながら、従来の携帯端末は、停電が発生したことを報知する機能が具わっていなかった。このため、ブレーカーの作動等によって充電時に停電が発生した場合でも、携帯端末の使用者が停電の発生に気付かないことが多かった。このような状況においては、停電の回復までに長い時間を要し、その結果、充電を所定の時間内で完了することが出来ないという問題が生じる。又、停電により携帯端末を見失うと、特に夜間においては携帯端末を見つけ出すことが困難であった。
【０００６】
そこで本発明の目的は、停電が発生したときに、携帯端末によりその使用者に停電の発生と携帯端末の位置とを認識させることである。
【課題を解決するための手段】
【０００７】
本発明に係る携帯端末は、充電池を具え、該充電池を充電する充電装置に装着することにより前記充電池が充電される携帯端末であって、
更に、前記充電装置への装着状態を検出する検出部と、該検出部により前記装着状態が検出されているときに前記充電装置からの電力供給が停止したか否かを判断する判断部と、該判断部によって前記充電装置からの電力供給が停止したものと判断されたときに該電力供給の停止を報知する報知部とを具えている。
【０００８】
上記携帯端末を充電装置に装着した装着状態においては、該装着状態が検出部によって検出され、その後、充電装置による携帯端末の充電池の充電が開始される。携帯端末の充電池の充電時に、停電が発生して商用電源から充電装置への電力供給が停止した場合、充電装置から携帯端末への電力供給が停止する。この場合、上記携帯端末においては、判断部によって充電装置から携帯端末への電力供給が停止したものと判断され、その結果、該電力供給の停止が報知部によって報知されることになる。
【０００９】
従って、上記携帯端末の使用者は、報知部による報知によって停電が発生したことを認識することが出来る。又、その報知によって、使用者は携帯端末の位置を認識することが出来る。
【００１０】
上記携帯端末の具体的構成において、前記検出部は、前記充電装置に配備されている被検知部を検知する検知部を具え、該検知部により前記被検知部が検知されたとき、この状態を前記装着状態として検出する。
【００１１】
より具体的構成において、前記被検知部は磁石から構成され、前記検知部は、前記装着状態にて前記磁石を検知する磁気センサから構成されている。
【００１２】
上記携帯端末の他の具体的構成おいて、前記報知部は、発光、鳴動、若しくは画像の表示、又はこれらの任意の組合せによって前記電力供給の停止を報知する。
【００１３】
上記携帯端末の具体的構成おいて、送信先のアドレスを記憶する記憶部と、前記判断部によって前記充電装置からの電力供給が停止したものと判断された場合に、前記記憶部に記憶された送信先に情報を送信する送信部と、を備える。
【００１４】
上記携帯端末の具体的構成おいて、前記送信部は、前記判断部によって前記充電装置からの電力供給が停止したものと判断されたてから、あらかじめ設定された所定時間が経過した後、前記情報を送信する。
【００１５】
上記携帯端末の具体的構成おいて、前記送信部は、前記情報を、所定の時間間隔で所定回数送信する。
【００１６】
上記携帯端末の具体的構成おいて、自端末の位置を測定する位置測定部を備え、前記送信部は、前記情報に、前記位置測定部により測定された位置を含めて送信する。
【００１７】
上記携帯端末の具体的構成おいて、前記送信部は、前記情報を電子メールにて送信する。
【発明の効果】
【００１８】
本発明に係る携帯端末は、停電が発生したときに該携帯端末の使用者に停電の発生と携帯端末の位置とを認識させることが可能である。
【図面の簡単な説明】
【００１９】
【図１】本発明に係る携帯端末の一実施形態である携帯電話機を示すブロック図である。
【図２】該携帯電話機の装着状態を示した斜視図である。
【図３】該携帯電話機の離脱状態を示した斜視図である。
【図４】該携帯電話機の停電報知制御の流れを示したフローチャートである。
【図５】本発明に係る携帯端末の変形例の実施形態である携帯電話機を示すブロック図である。
【図６】図５に示される記憶部１１０に記憶される情報の概念図である。
【図７】図５に示される変形例の携帯電話機１００の動作を示すフローチャートである。
【図８】図５に示される送信部１１１が送信する電子メールの一例の概略図である。
【発明を実施するための形態】
【００２０】
以下、本発明の実施の形態につき、図面に沿って具体的に説明する。
【００２１】
図１に示す如く、本発明に係る携帯端末の一実施形態である携帯電話機１は、充電池１５を具えており、充電器２は、商用電源３を用いて充電池１５を充電するための充電装置である。図２に示す如く携帯電話機１を充電器２に装着した装着状態において充電池１５が充電され、図３に示す如く携帯電話機１を充電器２から離脱した離脱状態において充電池１５への充電が停止される。尚、本実施形態においては、充電器２は、充電時に携帯電話機１が設置される充電台を具えている。
【００２２】
充電器２には、商用電源３から供給される電力を交流から直流に変換する電源回路部２２が配備され、電源回路部２２によって変換された電力が、装着状態において携帯電話機１の充電池１５に供給され、これにより充電池１５が充電されることになる。
【００２３】
図１に示す様に、上記携帯電話機１と充電器２とを具えたシステムは更に、装着状態を検知する状態検知装置４を具えている。
【００２４】
本実施形態においては、状態検知装置４は、充電器２（具体的には充電台）に配備された磁石２１と、携帯電話機１に配備されて装着状態にて磁石２１を検知する磁気センサ１３とから構成されている。
【００２５】
携帯電話機１には更に、携帯電話機１の充電池１５の充電時に停電が発生したことを検出する停電検出回路部１４と、ＬＥＤ（Ｌｉｇｈｔ  Ｅｍｉｔｔｉｎｇ  Ｄｉｏｄｅ）１１と、停電検出回路部１４の検出結果に基づいてＬＥＤ１１の発光を制御する制御部１２とが配備されている。
【００２６】
制御部１２は又、磁気センサ１３の出力に基づいて磁気センサ１３により磁石２１が検知されているか否かを判断し、検知されていると判断できる場合に、携帯電話機１が充電器２に装着されているものとして装着状態を検出する。制御部１２によって装着状態が検出されると、その後、充電器２による充電池１５への充電が開始される。
【００２７】
停電検出回路部１４は、制御部１２によって装着状態が検出されているときに、充電器２から携帯電話機１への電力供給が停止したか否かを判断する。
【００２８】
停電が発生した場合、商用電源３から充電器２への電力供給が停止し、これに伴って充電器２から携帯電話機１への電力供給が停止する。この場合、本実施形態に係る携帯電話機１においては、停電検出回路部１４は、充電器２から携帯電話機１への電力供給が停止
していると判断して停電を検出することになる。
【００２９】
制御部１２は、停電検出回路部１４によって充電器２から携帯電話機１への電力供給が停止したものと判断されたとき、ＬＥＤ１１を点滅させることにより該電力供給の停止、即ち停電が発生したことを報知する。斯くして、本実施形態に係る携帯電話機１においては、ＬＥＤ１１と制御部１２によって、停電が発生したことを報知する報知部が構成されている。
【００３０】
尚、ＬＥＤ１１には、携帯電話機１の使用者に着信を知らせる目的等で携帯電話機１に設けられているＬＥＤを流用することが出来る。勿論、ＬＥＤ１１は、停電を報知する目的のために新たに設けられたＬＥＤであってもよい。
【００３１】
次に、上記携帯電話機１により停電を報知する制御手続きにつき、図４に示すフローチャートに沿って具体的に説明する。該制御手続きは、携帯電話機１が充電器２に装着された時点から開始される。
【００３２】
制御手続きが開始されると、先ずステップＳ１では、携帯電話機１が装着状態にて維持されているか否かを判断すべく、制御部１２が、磁気センサ１３により磁石２１が検知されているか否かを判断する。
【００３３】
ステップＳ１においてＮＯと判断された場合、携帯電話機１は装着状態から離脱状態に移行したものと推定して、この時点で制御手続きは終了する。
【００３４】
一方、ステップＳ１においてＹＥＳと判断された場合、携帯電話機１は装着状態のまま維持されているものと推定して、制御手続きはステップＳ２に移行する。ステップＳ２では、停電検出回路部１４が、充電器２から携帯電話機１への電力供給が装着状態にて停止したか否かを判断する。
【００３５】
ステップＳ２においてＹＥＳと判断された場合、携帯電話機１が充電器２に装着されているにも拘らず、充電器２から携帯電話機１への電力供給が停止したことになるので、停電が発生したものと推定することが出来る。従ってステップＳ３にてＬＥＤ１１と制御部１２からなる報知部が作動することにより、即ち制御部１２によってＬＥＤ１１を点滅させることにより、停電が発生したことを報知する。ステップＳ３の実行後、制御手続きは終了する。
【００３６】
一方、ステップＳ２においてＮＯと判断された場合、充電器２から携帯電話機１への電力供給が維持されていると推定できるので、ＬＥＤ１１と制御部１２からなる報知部は作動せずに制御手続きはステップＳ１に戻り、ステップＳ１にてＮＯと判断されるか、又はステップＳ２にてＹＥＳと判断されるまで、ステップＳ１とステップＳ２が繰り返し実行される。
【００３７】
上述した携帯電話機１によれば、携帯電話機１の充電池１５の充電時に停電が発生した場合、停電の発生が報知部によって報知されることになる。従って、携帯電話機１の使用者は、報知部による報知によって停電が発生したことを認識することが出来る。又、その報知によって、使用者は携帯電話機１の位置を認識することが出来る。
【００３８】
尚、本発明の各部構成は上記実施形態に限らず、特許請求の範囲に記載の技術的範囲内で種々の変形が可能である。上述した実施形態においては、ＬＥＤ１１を点滅させることにより停電の発生を報知したが、本発明はこれに限られるものではない。例えば、ＬＥＤ１１の点滅に替えて、ＬＥＤ１１の発光強度を適宜変更したり、ＬＣＤ（Ｌｉｑｕｉｄ  Ｃｒｙｓｔａｌ  Ｄｉｓｐｌａｙ）のバックライトを点滅させたりすること等により、停電の発生を報知してもよい。又、鳴動や、ＬＣＤへの文字、記号、図形等を任意に組み合わせた画像の表示などによって、停電の発生を報知してもよい。更には、発光、鳴動、及び画像の表示の任意に組合せによって、停電の発生を報知してもよい。
【００３９】
上記実施形態においては、状態検知装置４が、磁石２１と磁気センサ３によって構成されていたが、本発明はこれに限られるものではない。例えば、状態検知装置４は、充電器２に形成された突起部と、携帯電話機１に配備されたスイッチとによって構成されてもよい。この構成においては、制御部１２は、突起部によってスイッチが押圧されているか否かを判断し、押圧されていると判断できる場合に、携帯電話機１が充電器２に装着されているものとして装着状態を検出する。
【００４０】
又、上記実施形態においては、充電器２は、充電時に携帯電話機１が設置される充電台を具えていたが、本発明はこれに限られるものでない。例えば、充電器２の充電用コードの差込み部を直接、携帯電話機１のソケットに差し込んでもよい。この場合、状態検知装置４は、充電用コードの差込み部と、携帯電話機１に配備された差込み検知部とによって構成される。この構成においては、制御部１２は、差込み検知部の出力に基づいて差込み検知部によりソケットへの差込み部の差込みが検知されているか否かを判断し、検知されていると判断できる場合に、携帯電話機１が充電器２に装着されているものとして装着状態を検出する。
【００４１】
更に、上記携帯電話機１において、制御部１２が、自身が制御している時刻に基づいて装着状態の検出時刻が夜間であると判断した場合にだけ、停電検出回路部１４による停電の検出が実行されてもよい。
【００４２】
更に又、上記実施形態においては携帯電話機１を充電する電源として商用電源３を用いたが、本発明はこれに限定されるものではない。即ち、本発明に係る携帯端末を充電する電源には、停電により携帯端末への電力の供給が停止し得る種々の電源を用いることが出来る。
【００４３】
次に、本発明に係る携帯端末の変形例について図面を参照して説明する。前述の図１から図４までを用いて説明した、本発明に係る携帯端末の実施形態と同様の部分には同じ番号を付し、前述の図１から図４までを用いて説明した、本発明に係る携帯端末の実施形態と異なる部分について説明し、前述の図１から図４までを用いて説明した実施形態とその構成、動作の同様の部分の説明は省略する。
【００４４】
以下に説明する変形例は、本発明の携帯端末の実施形態としての携帯電話機が停電検知後に、携帯電話機で設定しているアドレス帳などの宛先情報に示される特定の相手に電子メールを送信し通知するものである。また、本変形例は、ＧＰＳ機能搭載の携帯電話機であって、位置の情報も発信する。さらに、本変形例の携帯電話機は、停電の際、基地局も一時的に停電することも考えられるため、停電時から一定時間間隔を置いて、情報を送信するものである。
【００４５】
まず、図５を参照して、本発明の携帯端末の変形例の実施形態である携帯電話機１００の構成について説明する。図５は、本発明に係る携帯端末の変形例の実施形態である携帯電話機を示すブロック図である。本発明の携帯端末の変形例である携帯電話機１００の構成は、図１に示される構成に加えて、さらに、電子メールの送信先の情報や送信する情報の内容などを記憶する記憶部１１０と、記憶部１１０に記憶された電子メールの送信先に対して、記憶部１１０に記憶された所定内容の電子メールを送信する送信部１１１と、携帯電話機１００の現在位置を測定する位置測定部１１２とを備える。
【００４６】
記憶部１１０は、情報の送信先の情報や、送信する情報の内容などを記憶する。この記憶部１１０が記憶する情報について、図６を参照して説明する。図６は、図５に示される記憶部１１０に記憶される情報の概念図である。
【００４７】
図６に示すように、記憶部１１０は、宛先情報６０１と、本文情報６０２と、件名情報６０３と、電子メールを送信するまでの待機時間となる所定時間６０４と、電子メールを送信する回数を示す送信回数６０５と、複数回電子メールを送信するときの時間間隔６０６と、位置情報フラグ６０７とを記憶している。この図６に記憶される情報は、携帯電話機に一般に利用されるアドレス帳の情報の一部であるとしても良い。
【００４８】
宛先情報６０１は、送信する電子メールの宛先アドレスの情報である。図６に示される例では、１行目にａｂ▲＠ａｂｃ．●．ｊｐが宛先アドレス６１１として設定されている。
【００４９】
本文情報６０２は、電子メール本文を構成する情報である。図６に示される例では、１行目に「停電です。」という情報６１２が設定されている。
【００５０】
件名情報６０３は、電子メールの件名に記載される情報である。図６に示される例では、１行目に「停電情報」という情報６１３が設定されている。
【００５１】
所定時間６０４は、停電が検知されてから電子メールが送信されるまでの待機時間を示す。この時間は、たとえば１分、５分、３０分など適宜な値を設定することができる。図６に示される例では、１行目に、所定時間６０４として、１０分の情報６１４が設定されている。なお、この所定時間６０４としては、所定時間０、すなわち待機時間を設定しない場合であっても良い。
【００５２】
送信回数６０５は、電子メールを送信する回数が設定され、たとえば１と設定されていれば、電子メールを１回送信し、５と設定されていれば、電子メールを５回送信する。図６に示される例では、１行目に送信回数として３の情報６１５が設定されている。
【００５３】
時間間隔６０６は、電子メールを複数回送信する際に、電子メールを送信する時間間隔を示し、たとえば２分と設定されていれば、電子メールが送信された後、２分経過後に次の電子メールを送信する。図６に示される例では、１行目に時間間隔として１分の情報６１６が設定されている。なお、この時間間隔６０６としては、時間間隔０、すなわち時間間隔を設定しない場合であっても良い。
【００５４】
位置情報フラグ６０７は、当該電子メールの本文に位置情報を含ませて送信するか否かを示すフラグであり、含ませる場合はＯＮと設定され、含ませない場合はＯＦＦと設定される。図６に示される例では、１行目の電子メールに対しては、位置情報フラグがＯＮをー示す情報６１７となっているため、位置情報が送信される。
【００５５】
なお、記憶部１１０に記憶される各種情報は、１種類に限定されるものではなく、複数種類であって良い。たとえば、図６に示される例では、２行目に示されるように、１２■＠ｄｅｆ．▲．ｊｐが宛先情報６１１として設定され、電子メール本文を構成する本文情報６０２として、「停電発生！」という情報が設定され、電子メールの件名情報６０３に記載される情報として、「緊急情報」という情報が設定されている。
【００５６】
また、図６に示される例では、２行目に示されるように、所定時間６０４として、１５分が設定され、送信回数６０５として５回が設定され、時間間隔６０６として５分が設定され、位置情報フラグ６０７としてＯＦＦが設定されている。
【００５７】
図５に示される送信部１１１は、制御部１２の制御に基づいて、電子メールを送信する。この電子メールの宛先、本文、件名は、前述の図６を参照して説明した、記憶部１１０に記憶されている宛先情報６０１、本文情報６０２、件名情報６０３の情報である。また制御部１２は、携帯電話機１００の充電機１５の充電時に停電が発生したことを停電検出回路部１４から通知されると、送信部１１１に対して、電子メールの送信を指示する。
【００５８】
位置測定部１１２は、制御部１２の制御に基づいて自端末の現在位置を測定し、測定した位置情報を制御部１２に通知する。位置測定部１１２による位置の測定は、ＧＰＳ（グローバル・ポジショニング・システム、Ｇｌｏｂａｌ  Ｐｏｓｉｔｉｏｎｉｎｇ  Ｓｙｓｔｅｍ）を用いて行う。
【００５９】
次に、本変形例の動作について、図７を参照して説明する。図７は、図５に示される変形例の携帯電話機１００の動作を示すフローチャートである。以下の説明では、図６に示される１行目の電子メールを送信する場合を例にあげて説明する。
【００６０】
図７に示される、ステップＳ１、ステップＳ２、ステップＳ３については、前述の図４に示されるステップＳ１、ステップＳ２、ステップＳ３と同様であるため、詳細な説明を省略する。
【００６１】
本変形例の携帯電話機１００の制御部１２は、ステップＳ３の次のステップＳ７０１において、充電器からの電力供給が停止してから所定時間が経過したか否かを判定する。この所定時間は、前述の図６を参照して説明したように、記憶部１１０に記憶されている所定時間６０４である。
【００６２】
次に、ステップＳ７０５において、制御部１２は変数ｉを０に設定する。次に、ステップＳ７１０において、制御部１２は、図６に設定されている宛先情報６０１、本文情報６０２、件名情報６０３の情報にしたがって電子メールを作成し、送信部１１１に対して作成された電子メールの送信を指示する。この指示を受けた送信部１１１は、電子メールを送信する。
【００６３】
このステップＳ７１０において、制御部１２は、送信する電子メールに位置情報フラグが設定されている場合は、位置測定部１１２から自端末の位置情報を取得し、送信する電子メールの本文に記載する。
【００６４】
次に、ステップＳ７１５において、制御部１２は、図６に示されるように、記憶部１１０に記憶されている送信回数６０５の情報に基づいて、電子メールの送信回数が複数回数に設定されているか否かを判定する。複数回数に設定されていなければ（ＮＯ）、処理を終える。他方、複数回数に設定されていれば（ＹＥＳ）、ステップＳ７２０に移行する。
【００６５】
ステップＳ７２０では、制御部１２は、変数ｉに１をインクリメントする。次に、ステップＳ７２５に移行して、制御部１２は、変数ｉが、図６に設定されている送信回数６０４に一致したか否かを判定する。制御部１２は、変数ｉが、図６に設定されている送信回数６０４に一致している場合は（ＹＥＳ）、処理を終える。他方、制御部１２は、変数ｉが、図６に設定されている送信回数６０４に一致していない場合は（ＮＯ）、ステップＳ７３０に移行する。
【００６６】
制御部１２は、ステップＳ７３０において、図６に設定されている送信の時間間隔６０６の時間待機する。そして、制御部１２は、図６に設定されている送信の時間間隔６０６の経過後、ステップＳ７１０に移行し、前述と同様に、図６に示される宛先、本文、件名により作成された電子メールを送信する。
【００６７】
なお、制御部１２は、図６に示されるように、複数の送信する電子メールが設定されている場合は、それぞれの電子メール毎に上記処理を繰り返す。
【００６８】
ここで、制御部１２の制御によって、送信部１１１が送信する電子メールの一例について図８を参照して説明する。
【００６９】
図８は、図５に示される送信部１１１が送信する電子メールの一例の概略図である。
【００７０】
図８に示されるように、送信部１１１により送信される電子メールは、宛先アドレスが記載される宛先部８０１と、電子メールの送信元が記載される送信元部８０５と、電子メールの件名が記載される件名部８１０と、電子メールの本文が記載される本文部８１５とを備える。
【００７１】
宛先部８０１には、図６に示される、記憶部１１０に記憶される宛先情報６１１として、「ａｂ▲＠ａｂｃ．●．ｊｐ」が設定されている。送信元部８０５には、携帯電話機１００の電子メールアドレスである、「ｘｙ●＠ｇｈｉ．■．ｊｐ」が設定されている。
件名部８１０には、図６に示される、記憶部１１０に記憶される件名である「停電情報」の情報６１３が設定される。
【００７２】
本文部８１５には、図６に示される、記憶部１１０に記憶される本文の情報６１２である「停電です。」と、自端末の現在位置を示す位置情報８２０と、時刻情報８２５とが記載されている。もちろん、本発明の携帯端末では、電子メール本文に記載される情報として、図８に示されるような所定の本文情報、位置情報、時刻情報に限定されるものではなく、適宜その他の情報を記載するとしても良い。
【００７３】
以上のように、本発明の携帯端末の変形例の実施形態である携帯電話機１００では、制御部が停電を検知した場合、あらかじめ設定されている宛先に対して、所定内容の電子メールを送信するため、送信先の相手方は停電が発生したことを知ることができる。
【００７４】
また、本発明の携帯端末の変形例の実施形態である携帯電話機では、停電の際、基地局も一時的に停電することも考えられるため、停電時から一定時間間隔（所定時間６０４）をおいて、情報を送信する機能も有しているため、基地局の復旧に所定時間かかった場合などであっても、基地局の復旧に合わせて電子メールなどの情報を送信することが可能となり、より確実に停電の発生を通知することができる。
【００７５】
また、本発明の携帯端末の変形例である携帯電話機では、送信する電子メールに、自端末の位置情報も含めて送信するため、情報の送信先の相手に対して、停電の発生場所を知らせることも可能となる。
【００７６】
また、本発明の携帯端末の変形例の実施形態である携帯電話機で説明したように、制御部１２が停電を検知した場合、あらかじめ設定されている宛先に対して送信する情報の中に現在時刻情報を含む電子メールとして良い。この場合、情報を受信した相手先は、停電が発生した時刻を知ることができる。
【００７７】
また、上記変形例において、図６に示される情報はそれぞれ例示であって、それぞれの情報は適宜別の文字、値をとることができる。たとえば、本文情報６０２や件名情報６０３として文字、記号及び記号又はこれらの任意の組み合わせを用いた、任意の文を用いることができる。また、所定時間６０４や時間間隔６０６として、本発明の携帯端末は、図６に示された時間に限定されるものではなく、１秒、５秒、２分、１時間、１日、２カ月など、その他の時間をとることができる。また、本発明の携帯端末は、送信回数として図６に示される値に限定されるものではなく、１回、１０回など適宜な値をとることができる。
【００７８】
なお、本発明の携帯端末においては、情報の送信として電子メールに限定されるものではなく、ショートメッセージサービスＳｈｏｒｔ  Ｍｅｓｓａｇｅ  Ｓｅｒｖｉｃｅ、ＳＭＳ）や音声発信であっても良い。ショートメッセージサービスの場合は、上記変形例の説明と同様の実施が可能である。また、音声発信の場合は、あらかじめ設定されている発呼先に対して、あらかじめ設定された音声情報や自端末の位置の音声情報などを発信するとして良い。
【符号の説明】
【００７９】
１  携帯電話機（携帯端末）
２  充電器（充電装置）
３  商用電源
４  状態検知装置
１１  ＬＥＤ（報知部の構成要素）
１２  制御部（報知部及び検出部の構成要素）
１３  磁気センサ（検知部、検出部の構成要素）
１４  停電検出回路部（判断部）
１５  充電池
２１  磁石（被検知部）
２２  電源回路部
１００  携帯電話機
１１０  記憶部
１１１  送信部
１１２  位置測定部
【図１】
2010252300.tif 000003
【図２】
2010252300.tif 000004
【図３】
2010252300.tif 000005
【図４】
2010252300.tif 000006
【図５】
2010252300.tif 000007
【図６】
2010252300.tif 000008
【図７】
2010252300.tif 000009
【図８】
2010252300.tif 000010